(57)【要約】  本発明は、玉軸受（１）であって、レース（３，４）、保持器（５，３５）及びレース（３，４）にある少なくとも１つの当たり面（１５）を持ち、保持器（５，３５）が、玉軸受（１）の回転軸線（１ａ，３５ａ）の周りの周側に互いに隣接するポケット（９，４１）を備えており、ポケット（９，４１）の各々が、回転軸線（１ａ，３５ａ）と同じ向きの第１の軸線方向へ第１の縁（１１，３６）により、また第１の方向とは逆の第２の軸線方向へ第２の縁（１２，３７）により、少なくとも部分的に区画され、縁（１１，１２，３６，３７）の少なくとも１つが、半径方向に半径方向案内面（１４，４５）により区画され、案内面（１４，４５）が当たり面（１５）に少なくとも半径方向に対向しているものに関する。
2007506059.tif 000002
【特許請求の範囲】
【請求項１】
玉軸受（１）であって、レース（３，４）、保持器（５，３５）及びレース（３，４）にある少なくとも１つの当たり面（１５）を持ち、保持器（５，３５）が、玉軸受（１）の回転軸線（１ａ，３５ａ）の周りの周側に互いに隣接するポケット（９，４１）を備えており、ポケット（９，４１）の各々が、回転軸線（１ａ，３５ａ）と同じ向きの第１の軸線方向へ第１の縁（１１，３６）により、また第１の方向とは逆の第２の軸線方向へ第２の縁（１２，３７）により、少なくとも部分的に区画され、縁（１１，１２，３６，３７）の少なくとも１つが、半径方向に半径方向案内面（１４，４５）により区画され、案内面（１４，４５）が当たり面（１５）に少なくとも半径方向に対向しているものにおいて、軸線方向への当たり面（１５）の推移を規定する回転軸線（１ａ，３５ａ）と当たり面（１５）との間の半径方向間隔（２０ａ，２０ｂ，２０ｃ）が、回転軸線（１ａ，３５ａ）と当たり面（１５）との間の最大間隔（２０）からの軸線方向距離の増大と共に小さくなり、従って当たり面（１５）が回転軸線（１ａ，３５ａ）に沿う仮想断面で見て、回転軸線（１ａ，３５ａ）の方へ下降していることを特徴とする、玉軸受。
【請求項２】
回転軸線（１ａ）と当たり面（１５）との間の間隔（２０ａ，２０ｂ，２０ｃ）がポケット中心（９ａ）からの軸線方向距離の増大と共に小さくなることを特徴とする、請求項１に記載の玉軸受。
【請求項３】
回転軸線（１ａ）と当たり面（１５）との間の間隔（２０ａ，２０ｂ，２０ｃ）が、ポケット中心（９ａ）からの軸線方向距離の減少と共に小さくなることを特徴とする、請求項１に記載の玉軸受。
【請求項４】
案内面（１４）が、回転軸線（１ａ）に対して平行に軸線方向（１０）へ向けられていることを特徴とする、請求項１又は２又は３に記載の玉軸受。
【請求項５】
案内面（１４）の推移を記述する回転軸線（１ａ）と案内面（１４）との間の半径方向間隔（２０ａ，２０ｂ，２０ｃ）が、回転軸線（１ａ）に対して半径方向に最も近い所にある案内面（１４）の輪郭線（２１）の最小間隔（２２）から始まって、最小間隔（２２）からの軸線方向距離の増大と共に、当たり面（１５）と回転軸線（１ａ）との間の半径方向間隔（２０ａ，２０ｂ，２０ｃ）が減少する値だけ大きくなることを特徴とする、請求項１又は２又は３に記載の玉軸受。
【請求項６】
案内面（１４，４５）が半径方向外方へ向けられ、当たり面（１５）が半径方向内方へ向けられていることを特徴とする、請求項１に記載の玉軸受。
【請求項７】
回転軸線（１ａ，３５ａ）に対して半径方向に最も近い所にある案内面（１４）の輪郭線（２４）が、回転軸線（１ａ，３５ａ）から半径方向に最も大きく離れた第２の縁（１２）の最も半径方向外側の輪郭（１９）より、回転軸線（１ａ，３５ａ）から半径方向に大きく離れていることを特徴とする、請求項６に記載の玉軸受。
【請求項８】
玉軸受（１）がアンギュラ・コンタクト玉軸受（２）であり、レース（３）が保持器（５）を包囲し、かつ環状に形成される当たり面（１５）を有する第１の肩部（８）及び第２の肩部（７）を持ち、第２の肩部（７）が、半径方向に第２の縁（１２）に対向していることを特徴とする、請求項７に記載の玉軸受。
【請求項９】
案内面（１４）と当たり面（１５）との間のできるだけ小さい半径方向間隙寸法が零より大きく、このできるだけ小さい半径方向間隙寸法が、玉軸受（１）の作動状態において回転する保持器（５）の最小作動遊隙であることを特徴とする、請求項８に記載の玉軸受。
【請求項１０】
間隙寸法が、４μｍ以上から８μｍ以下までの大きさに形成されていることを特徴とする、請求項９に記載の玉軸受。
【請求項１１】
保持器（５，３５）がプラスチックから成り、案内面（１４，４５）が、少なくとも保持器（５，３５）の周方向において、互いに離れている半径方向凹所（４７）を持っていることを特徴とする、請求項８に記載の玉軸受。
【請求項１２】
保持器（５，３５）がプラスチックから成り、少なくとも第２の縁（１２）が、仮想中空円筒（２６）の内面にあってポケット（９）へ向く部分区域（２５）を持ち、中空円筒（２６）の中心軸線（９ａ）と回転軸線（１ａ）に対して直角な仮想線（２７）との間のポケット角が、仮想線（２７）とアンギュラ・コンタクト（２）の接触線（２９）との間の押付け角より小さく、仮想線（２７）と接触線（２９）が玉（２８）の中心で交差し、接触線（２９）が回転軸線（１ａ）と鋭角をなして交差していることを特徴とする、請求項８に記載の玉軸受。
【請求項１３】
ポケット（９）を区画する内面の部分区域（２５）が、ポケット（９）を環状に取巻く中空円筒（２６）の内面であることを特徴とする、請求項１２に記載の玉軸受。
【請求項１４】
中空円筒（２６）の中心軸線（９ａ）と回転軸線（１ａ）に対して直角な仮想線（２７）との間のポケット角が、仮想線（２７）とアンギュラ・コンタクト玉軸受（２）の接触線（２９）との間の押付け角より小さく、仮想線（２７）と接触線（２９）が玉（２８）の中心（３２）で交差し、接触線（２９）が回転軸線（１ａ）と鋭角をなして交差していることを特徴とする、請求項１３に記載の玉軸受。
【請求項１５】
ポケット（９）の互いに対向する２つの別の部分区域（３０）の間の空き間隔（３１）が、ポケット（９）内の玉（２８）のできるだけ小さい玉直径より小さく、空き間隔（３１）が、回転軸線（１ａ）に対して半径方向に、玉（２８）の中心（３２）より大きく離れてことを特徴とする、請求項８に記載の玉軸受。
【請求項１６】
ポケット（９）を区画する内面の部分区域（２５）が、ポケットを環状に取巻く中空円筒（２６）の面区域であり、この面区域が内面の別の部分区域（３０）へ移行し、この別の部分区域（３０）が、仮想中空円錐台の内周面を持ち、最も狭い内側個所で中空円錐台を記述する内径（３１）が、空き間隔（３１）であることを特徴とする、請求項１５に記載の玉軸受。
【請求項１７】
保持器（３５）がプラスチックから成り、第１の縁（３６）が第２の縁（３７）に対し半径方向にずれ、回転軸線から半径方向に最も大きく離れた第２の縁（３７）の半径方向に最も外側の輪郭（３８）と、半径方向に最も内側で回転軸線の最も近くにある第１の縁（３６）の内側輪郭（３９）とが、回転軸線（３５ａ）の方向に、仮想分割面（４０）へ一緒に突き当たり、この分割面（４０）が、第１の縁（３６）から第２の縁（３７）の方へポケット（４１）を半径方向に分割し、分割面（４０）がピッチ円半径（４２）に対して半径方向に離れており、このピッチ円半径（４２）が、ポケット（４１）内の玉（２８）の中心（３２）を通るアンギュラ・コンタクト軸受（２）の共通なピッチ円を記述することを特徴とする、請求項８に記載の玉軸受。
【請求項１８】
保持器（５，３５）が、第１の縁（１１，３６）において、ポケット（９，４１）から遠い方にありかつ保持器（５，３５）を軸線方向に終わらせる端面（４４）を軸線方向にポケット（９，４１）の方へ切欠かれ、かつ案内面（１４，４５）に対して半径方向に回転軸線（１ａ，３５ａ）の方へ切欠かられいることを特徴とする、請求項８に記載の玉軸受。
【請求項１９】
保持器（５）が、案内面（１４）と端面（３３）との間に、回転軸線（１ａ）の周りを取巻く面取り部（３４）を持っていることを特徴とする、請求項１８に記載の玉軸受。
【請求項２０】
保持器が、案内面（４５）と端面（４４）との間に、回転軸線（３５ａ）の周りを取巻く溝（４６）を持っていることを特徴とする、請求項１８に記載の玉軸受。
【請求項２１】
アンギュラ・コンタクト玉軸受（２）であって、レース（３）、保持器（５）及びレース（３）にある少なくとも１つの環状に形成される当たり面（１５）を持ち、保持器（５）が、この保持器（５）の回転軸線（１ａ）の周りの周側に互いに隣接するポケット（９）を備えており、ポケット（９）の各々が、回転軸線（１ａ）と同じ向きの第１の軸線方向へ第１の縁（１１）により、また第１の方向とは逆の第２の軸線方向へ第２の縁（１２）により、少なくとも部分的に区画され、少なくとも第１の縁（１１）が、半径方向に半径方向案内面（１４）により区画され、この案内面（１４）が当たり面（１５）に、また第２の縁（１２）がレース（３）にある肩部（８）に、少なくとも半径方向に対向しているものにおいて、案内面（１４）と当たり面（１５）との間のできるだけ小さい半径方向間隙寸法が、零より大きく、このできるだけ小さい半径方向間隙寸法が、アンギュラ・コンタクト玉軸受（２）の作動状態において回転する保持器（５）の最小の作動遊隙であり、第２の縁（１２）と肩部（８）との間の別のできるだけ小さい半径方向間隙寸法より小さいことを特徴とする、アンギュラ・コンタクト玉軸受。
【請求項２２】
間隙寸法が、４μｍ以上から８μｍ以下までの大きさに形成されていることを特徴とする、請求項２１に記載の玉軸受。
【請求項２３】
保持器（５）がプラスチックから成り、案内面（１４）が、少なくとも保持器（５）の周方向において、互いに離れている半径方向凹所（４７）を持っていることを特徴とする、請求項２１に記載の玉軸受。
【発明の詳細な説明】
【技術分野】
【０００１】  本発明は、玉軸受であって、レース、保持器及びレースにある少なくとも１つの当たり面を持ち、保持器が、玉軸受の回転軸線の周りの周側に互いに隣接するポケットを備えており、ポケットの各々が、回転軸線と同じ向きの第１の軸線方向へ第１の縁により、また第１の方向とは逆の第２の軸線方向へ第２の縁により、少なくとも部分的に区画され、縁の少なくとも１つが、半径方向に半径方向案内面により区画され、案内面が当たり面に少なくとも半径方向に対向しているものに関する。
【背景技術】
【０００２】  本発明は、玉が保持器内に案内され、保持器の縁が半径方向に互いにずれている、考えられるすべての構成の玉軸受に関する。本発明は更に特に、対称及び／又は非対称な内レース及び外レースを持つアンギュラ・コンタクト玉軸受に関する。更に、特に転動面に対して低い内レース又は外レースの肩部に保持器が案内されている場合、本発明は高精度に設計される軸受に好んで使用される。【０００３】  アンギュラ・コンタクト玉軸受構成のこのような玉軸受は、非常に高速で回転する軸の支持のためにしばしば使用される。軸の支持には、運転の静かさ、支持個所における加熱及び寿命に関して、高度の要求が課されている。軸受の運転の高度の静かさは、例えば軸受における保持器の精確な案内によっても得られる。なぜならば、作動状態における保持器の姿勢及び運動は、安定化されねばならないからである。【０００４】  保持器の案内は、本発明がなされた時点まで、当業界に常に問題を与えていた。案内遊隙以内で、縁の異なる質量のため、保持器は、この保持器とレースにある案内部との間で、周側に接する傾倒軸線の周りに傾倒する傾向がある。保持器の傾倒は更に、保持器とレースにある案内部との傾斜接触を生じ、保持器とその案内部との間の潤滑膜が完全に又は一部破られる。これが再び摩耗及び温度を高め、軸受の案内機能消失の原因となる。【０００５】  米国特許第３，６４５，５９２号明細書には、最初にあげた種類の玉軸受が記載されている。アンギュラ・コンタクト玉軸受は外レースを持っている。レースは、このような軸受では周知の高い肩部を備えている。レースには更に当たり面が形成され、別の従来技術におけるように、この当たり面は外レースの低い肩部にも形成されることができる。当たり面には玉保持器が当たる。保持器は、玉軸受の回転軸線の周りの周側で互いに隣接するポケットを備えている。ポケットは、回転軸線と同じ向きの両軸線方向に、それぞれ１つの縁により区画されている。最初にあげた種類の軸受の両方の縁は、軸受の回転軸線の周りに環状に延びるか、１つの縁がポケットにあるスナップばめ開口により中断されているか、又は両方の縁が周方向においてポケットの間に別の切欠きを備えている。その代わりに両方の縁は、ポケットの間でも保持器の連絡片により補強されている。【０００６】  米国特許第３，６４５，５９２号明細書に記載されている軸受の縁の１つは、半径方向外側案内面により半径方向に区画され、軸受において外レースに対して遊隙なしに、半径方向において案内面に対向する当たり面に半径方向に案内されている。軸受と玉保持器とのこのような接触は、不利に大きい摩擦及び摩耗を生じる。この保持器の穴に通される材料は、案内面への潤滑材の供給を促進するが、保持器の強度を不利に弱める。このような保持器は、非常に高速で回転する軸受において条件付き出のみ使用できるか、又は使用できない。
【発明の開示】
【発明が解決しようとする課題】
【０００７】  従って本発明の課題は、レース及び保持器から成る単位体が特に高い回転数で静かに回転し、レースにある保持器の案内部が充分潤滑され、案内部の僅かな摩擦で保持器が回転する、玉軸受を提供することである。
【課題を解決するための手段】
【０００８】  この課題は、請求項１の特徴部分及び別の独立請求項により解決される。【０００９】  本発明は、玉を持つ保持器を包囲する外レースに保持器を案内するのに適しているが、内レースに案内するのにも適している。当たり面は低い肩部に形成されるか、又は低い肩部なしのレースに直接形成されている。低い肩部は、高い肩部に対して、レースに関して半径方向に引込められている。その代わりに当たり面は、低い肩部なしのレースに直接形成されている。本発明は、軸を支持するため高精度の構成のアンギュラ・コンタクト玉軸受に特に適している。この軸受の押付け角（接触角）は、なるべく１２°以上ないし３５°以下の範囲にあるのがよい。【００１０】  当たり面は、（回転軸線に沿う仮想縦断面で見て）軸線方向に回転軸線に対して平行に向けられてはおらず、回転軸線に対して傾斜して延びている。当たり面は周方向に環状に形成されるか、又は周方向に面区域に区分されるか、又は複数の当たり面に分割されている。保持器の縁に形成される案内面も同様に環状に形成されるか、又は周方向に中断されるか、又は軸線方向及び／又は周方向に複数の案内面に分割されている。【００１１】  作動中に案内面は、斜めに向けられる当たり面に当たる。それにより保持器に作用する軸線方向力が意識的に発生されて、保持器が傾倒軸線の周りに傾倒するのを防止する。回転する軸受内で保持器は静かに回転する。【００１２】  保持器にある案内面は、更に回転軸線に対して平行に向けられたままであるか、その代わりに回転軸線に対して傾斜して、当たり面に対し少なくともほぼ同じ間隔をとって、当たり面の推移と一致することもできる。最後にあげた本発明の構成では、軸受の作動中直接に接触する際の間隔は零に等しいか、面の間に均一に形成される所定の間隙寸法によって決定される。間隙寸法によって決定される当たり面と案内面との間の間隙に、流体力学的潤滑膜が形成されて、保持器案内部における摩擦及び摩耗を有利に零に減少する。【００１３】  本発明は、軸受のすべての作動条件において、最も不利な作動条件のもとでも、案内面と当たり面との間のできるだけ小さい半径方向間隙寸法が零より大きいままであるようにしている。この間隙寸法により、遠心力により保持器が直径を増大でき、保持器の中心軸線と軸受の回転軸線との間に半径方向ずれがあってもよく、水又は油のような液体による体積変化のため保持器の直径が変化できることも、考慮されている。【００１４】  図１〜３により、本発明のそれ以外の構成及び本発明の実施例が、以下に詳細に説明される。
【発明を実施するための最良の形態】
【００１５】  図１は、軸を支持するためのアンギュラ・コンタクト玉軸受の構成の玉軸受１は外レース３、内レース４及び保持器５を持ち、密封片６を備えている。外レース３には肩部７及び８が形成されている。肩部７は、レース３に関して半径方向に回転軸線１ａの方へ、低い肩部８より大きく突出している。【００１６】  保持器５は、周側に、玉軸受１の回転軸線１ａの周りに互いに離れているポケット９を備えているが、図１には１つのポケット９だけが縦断して示されている。ポケット９の各々は、両方向矢印１０で示す軸線方向の１つへ第１の縁１１により区画され、この方向に対して逆の方向へ第２の縁１２により区画されている。隣接するポケット９の間には連絡片１３が延びている。【００１７】  縁１１は、案内面１４により半径方向外方に対して区画されている。案内面１４は、肩部８にある当たり面１５に、半径に対向している。案内面１４は半径方向外方へ向き、当たり面１５は半径方向内方へ向いている。当たり面１５及び案内面１４は、回転軸線１ａ又は保持器５の中心軸線の周りに延びている。案内面１４と当たり面１５は、半径方向に間隙１６だけ互いに離れている。間隙１６は、肩部７の環状面１８と縁１２の半径方向外側輪郭１９との間の間隙間隔１７より大きい。【００１８】  回転軸線１ａに対して半径方向に最も近い所にある案内面１４の輪郭２４が、回転軸線から最も大きく離れている縁１２の外側輪郭１９より、回転軸線１ａから半径方向に大きく離れるように、縁１１と１２が半径方向に互いにずれている。【００１９】  基準通りではなく拡大された図１の簡単化された詳細Ｚである図２からわかるように、案内面１４も当たり面１５も回転軸線１ａに対して角φだけ傾斜している。回転軸線１ａと当たり面１５との間の半径方向間隔２０ａ〜２０ｃは、回転軸線１ａに対して半径方向に最も大きく離れて周方向に延びる当たり面１５の輪郭線２１から始まって、輪郭線２１からの軸線方向距離の増大と共に、かつ最大間隔２０に対する軸線方向距離の増大と共に、ポケット中心９ａの方へますます小さくなる。案内面１４は間隔２２ａ〜２２ｃにより記述されている。間隔２２ａ〜２２ｃは、輪郭線２３及び最小間隔２２及び最小間隔２２に対する軸線方向間隔の増大と共に、間隔２０ａ〜２０ｃが小さくなる値だけ大きくなる。従って間隙１６は、均一な間隙寸法によって規定されている。【００２０】  図２ａは、図２に対する詳細Ｚの別の構成を示している。この場合当たり面１５は再び角φだけ傾斜しているが、案内面１４は軸線方向に回転軸線１ａに対して平行に延びている。【００２１】  図２ｂは、図２に対する詳細Ｚの更に別の構成を示している。当たり面１５の推移を規定する回転軸線１ａと当たり面１５との間の半径方向間隔２０ａ〜２０は、間隔２０からの軸線方向距離の増大と共に、両方の軸線方向に大きくなるので、当たり面１５は、回転軸線に沿う仮想縦断面図で見て、回転軸線の方へ凸に湾曲している。半径方向に対向する案内面１４は当たり面１４に合わされて、回転軸線１ａの方へ凹に湾曲している。従って面１４及び１５は互いに一致して、間隙６は単一の間隙寸法により規定されている。【００２２】  図を簡単化するため、間隔２０���〜２０ｃ及び間隔２２ａ〜２２ｃのみが図面に示されたが、当たり面１５及び案内面１４を任意の数で軸線方向に順次に続く間隔２０ａ〜２０ｘ又は間隔２２ａ〜２２ｘにより記述可能なことは明らかなことである。【００２３】  ポケット９の内面を区画する部分区域２５は、ポケット内で環状に取巻く仮想円筒２６の内側面区域である。ポケット角γは押付け角αより小さい。ポケット角γは、（中空円筒２６のポケット中心９ａに一致する）中心軸線９ａとポケット９と通って回転軸線１ａに対して直角な線２７との間に形成される角である。押付け角αはアンギュラ・コンタクト玉軸受の接触角であり、ポケット９内の玉２８の中心３２と交差する接触線２９と直角な線２７との間に形成されている。【００２４】  個々の玉２８の各々は、そのそれぞれのポケット５内で、半径方向外方に対して保持されている。この目的のためポケットは、部分区域２５が、中空円錐台の内周面により規定される部分区域３０へ移行するように構成されている。この場合周面を記述する空き間隔は内径３１であり、ポケット５内の玉２８の直径より小さく、更に回転軸線１ａに対して玉５の中心３２より大きく離れている。【００２５】  保持器５は、ポケット９から遠い方にあって保持器５を軸線方向に終らせる縁１１の端面３３で、ポケット９の方向に軸線方向へかつ案内面１４に対して半径方向に回転軸線１ａの方へ引込められている。それにより保持器５は、案内面１４と端面３３との間にあって回転軸線１ａの周りを取巻く面取り部３４を持ち、この面取り部３４により密封片６のはまる空き空間が形成される。【００２６】  少なくとも保持器５の内側輪郭、ただし多分面取り部３４も、切削加工方法により形成されている。ポケット９の内部輪郭を穴あけによって形成し、その際ドリルの中心軸線を９ａに一致させることが考えられる。【００２７】  その代わりに本発明は、プラスチック保持器が射出成型工具で製造される軸受における適用にも適している。図３は、本発明による軸受の詳細断面図で、プサスチックから成る保持器３５の実施例を示している。保持器３５の第１の縁３６は、第２の縁３７に対して半径方向にずれて、回転軸線３５ａから半径方向に最も大きく離れた第２の縁３７の半径方向に最も外側の外側輪郭３８と、回転軸線３５ａに最も近い所にある第１の縁３６の半径方向に最も内側の内側輪郭３９が、共通な分割面４０に当たるようになっている。内側輪郭３９は、回転軸線３５ａの方向において、半径方向に分割面４０で終わり、外側輪郭３８は、回転軸線３５ａから離れて、半径方向に分割面４０で終わっている。【００２８】  分割面４０は図示しない射出成形工具にある分割面であり、第１の縁３６から第２の縁３７へ延びている。ポケット４１は分割面４０により半径方向に分割されている。分割面４０は、ピッチ円半径４２に対して半径方向に離れている。ピッチ円半径４２は、図示しないアンギュラ・コンタクト玉軸受の１列の玉の中心３２を通るピッチ円を記述している。【００２９】  保持器３５は、ポケット４１から遠い方にありかつ保持器３５を軸線方向に終らせる縁４３の端面４４に、ポケット４１の方へ軸線方向にかつ案内面４５に対して半径方向に回転軸線３５ａの方へ引込められて、保持器３５が回転軸線３５ａの周りを取巻く溝４６を案内面４５と端面４４との間に持つようになっている。【００３０】  案内面４５は、周側に任意の配置で、この面に分布した凹所４７を持ち（図３ａ）、これらの凹所の深さは１ｍｍの数分の１の程度である（オレンジの皮の表面のような構成）。（なるべく周方向に取巻く）溝又は１ｍｍの数分の１〜１ｍｍ以上の程度の所定の寸法及び所定の相互間隔を持つポケットの形のこのような凹所を形成することも考えられる。凹所はグリース又は油のような潤滑材用の貯蔵部として設けられ、軸受の作動中に案内面４５と対向する当たり面との間の摩擦を少なくする。
【図面の簡単な説明】
【００３１】
【図１】  軸を支持するアンギュラ・コンタクト玉軸受の構成の玉軸受の実施例を玉軸受の回転軸線に沿う縦断面図で示す。
【図２】  図１の細部Ｚの簡単化されかつ寸法通りでなく拡大された図を示す。
【図２ａ】  図２の別の構成を示す。
【図２ｂ】  図２の更に別の構成を示す。
【図３】  本発明による軸受用のプラスチック製保持器の実施例を切断された詳細図で示す。
【図３ａ】  互いに離れている半径方向凹所を持つ図３の案内面の細部Ｚを拡大された寸法通りでない断面図で示す。
【符号の説明】
【００３２】    １            玉軸受
１ａ          回転軸線
２            アンギュラ・コンタクト玉軸受
３            外レース
４            内レース
５            保持器
６            密封片
７            肩部
８            肩部
９            ポケット
９ａ          ポケット中心（中心軸線）
１０            両方向矢印
１１            縁
１２            縁
１３            連絡片
１４            案内面
１５            当たり面
１６            間隙
１７            間隙間隔
１８            環状面
１９            輪郭
２０ａ〜ｃ      間隔
２１            輪郭線
２２ａ〜ｃ      間隔
２３            輪郭線
２４            輪郭
２５            部分区域
２６            中空円筒
２７            線
２８            玉
２９            接触線
３０            部分区域
３１            内径
３２            中心
３３            端面
３４            面取り部
３５            保持器
３５ａ          回転軸線
３６            縁
３７            縁
３８            外側輪郭
３９            内側輪郭
４０            分割面
４１            ポケット
４２            ピッチ円半径
４３            縁
４４            端面
４５            案内面
４６            溝
４７            凹所
【図１】
2007506059.tif 000003
【図２】
2007506059.tif 000004
【図２ａ】
2007506059.tif 000005
【図２ｂ】
2007506059.tif 000006
【図３】
2007506059.tif 000007
【図３ａ】
2007506059.tif 000008
【国際調査報告】
2007506059.tif 000009
2007506059.tif 000010
2007506059.tif 000011
2007506059.tif 000012
2007506059.tif 000013
2007506059.tif 000014